(57)【要約】  【課題】  数百トンの重量物を長ストローク上げ下げでき、且つその昇降動作中及び動作停止中に水平力が作用しても安全に昇降動作することが出来る昇降装置を提供する。  【解決手段】  重量物を接地状態の昇降手段で上下昇降する重量物昇降装置であって、一端が接地され他端側が鉛直方向に伸縮して重量物を上げ下げする昇降部Ａ１と、その昇降部Ａ１の昇降動作中及び昇降動作停止時、該昇降部に作用する水平力に抗して昇降部の転倒を防止する転倒防止手段Ａ２を備えた。【選択図】  図１
2006096504.tif 000002
【特許請求の範囲】
【請求項１】
重量物を接地状態の昇降手段で上下昇降する重量物昇降装置であって、一端が接地され他端側が鉛直方向に伸縮して重量物を上げ下げする昇降部と、その昇降部の昇降動作に追従して伸長／収縮する蛇腹状の転倒防止手段を設け、該昇降部に作用する水平力に抗して昇降部の転倒を防止する転倒防止手段を備えたことを特徴とする重量物昇降装置。
【請求項２】
前記昇降部は、複数の昇降手段と、その複数の昇降手段の基部相互を連結する下枠体と、前記複数の昇降手段の伸縮する作動部相互を連結する上枠体で構成され、転倒防止手段が前記下枠体と上枠体とに亘って取り付けられていることを特徴とする請求項１記載の重量物昇降装置。
【請求項３】
前記転倒防止手段は、平板叉は矩形状の枠体をヒンジ連結によって蛇腹状に構成され、それらが前記昇降部を構成する下枠体と上枠体とに亘って架設されていることを特徴とする請求項２記載の重量物昇降装置。
【請求項４】
前記転倒防止手段は、パイプ叉は棒杆を簾状にヒンジ連結によって蛇腹状に構成され、それらが前記昇降部を構成する下枠体と上枠体とに亘って架設されていることを特徴とする請求項２記載の重量物昇降装置。
【請求項５】
前記昇降部を構成する下枠体と上枠体が平面矩形状で、下枠体と上枠体との間に昇降手段を平面略矩形状に配置し、その昇降手段で区画される４周面にそれぞれ転倒防止手段を配置したことを特徴とする請求項２乃至４の何れか１項記載の重量物昇降装置。
【請求項６】
前記昇降手段が、多段伸長ジャッキであることを特徴とする請求項２乃至５の何れか１項記載の重量物昇降装置。
【発明の詳細な説明】
【技術分野】
【０００１】
本発明は、橋梁等の重量物を昇降する昇降装置に関し、更に詳しくは昇降動作中及び動作停止時に昇降部に作用する水平力に対抗して転倒を防止する転倒防止手段を備えた重量物昇降装置に関する。
【背景技術】
【０００２】
重量物を上げ下げする昇降装置として、重量物を載承支持して昇降するものにジャッキ装置がある。
そのジャッキ装置は、一般的に油圧式ジャッキで構成され、ロッドの伸長によって重量物を上げ下げし得るように構成されている。
ところで、この種ジャッキ装置には、重量物を載承することによる鉛直荷重の他に、地震や風（横風）などの水平力（引張力）が作用する。前者の鉛直荷重はそのジャッキ装置の能力（定格荷重）に相当し、後者の水平力に対抗する力は一般的に前記能力の２０〜３０％が求められている。
【０００３】
しかして、重量物を上げ下げする昇降装置の能力が２００〜３００トン（ｔ）、ストロークを３０００ｍｍとした場合、耐水平力の能力は４０トン〜９０トンとなるが、このような能力を備えたジャッキ装置を構成しようとした場合、シリンダやピストンロッドの外径は非常に大きなものとなり、単独で構成することは殆ど不可能であり、仮に製作できたとしてもこれを現場に搬送し、設置するための運搬手段や設置手段が必要となるが、これ等の製作もほとんど不可能である。
【０００４】
能力（鉛直荷重）については複数のジャッキ装置を集合することで対応できるが、それらジャッキ装置は一般的にストロークが２００〜３００ｍｍと短く、耐水平力も能力の５〜１０％程度であり、ストロークが約１０倍となった場合は、耐水平力は勿論のこと鉛直荷重に対しても耐えられず、長ストロークが要求される昇降装置には全く使用できないものである。
【０００５】
しかして、重量物等を荷台に載せて昇降するジャッキ装置が開発され、提案されている。そのジャッキ装置は、基台と荷台との間に荷台昇降用シリンダを配設し、更に基台と荷台の間に一対の２つ折れリンク機構を配設し、両リンク機構のリンク棒間を横梁で結合し、横梁と基台との間に、２つ折れリンク機構の開度を調整するリンクシリンダを設けたものである（例えば、特許文献１参照）。
【０００６】
そして、上記ジャッキ装置は上記構成により、昇降作動の間、各荷台昇降シリンダは荷台上の積載物の垂直方向の荷重を、２つ折れリンク機構は幅方向の横荷重を受け持ち、しかも２つ折れリンク機構のリンク棒間を横梁で結合しているから、横荷重に対する剛性を高くできるとしている。
【０００７】
しかしながら、横荷重に対する剛性が向上される方向は、リンクシリンダが伸縮する方向のみで、それと直交する方向の横荷重に対しては剛性の向上は期待できない。尚、前記２つ折れリンク機構を直交する二方向に配置することも考えられるが、該リンク機構を交差して配置することは構造的に不可能である。
【０００８】
【特許文献１】特開２０００−２８９９９４号公報
【発明の開示】
【発明が解決しようとする課題】
【０００９】
本発明は上記した従来技術が有する問題点に鑑みてなされたもので、その課題とするところは、数百トンの重量物を長ストローク上げ下げでき、且つその昇降動作中及び動作停止中に水平力が作用しても安全に昇降動作することが出来る昇降装置を提供することにある。
【課題を解決するための手段】
【００１０】
上記課題を解決する為に本発明が講じた技術的手段は、重量物を接地状態の昇降手段で上下昇降する重量物昇降装置であって、一端が接地され他端側が鉛直方向に伸縮して重量物を上げ下げする昇降手段を備えた昇降部と、その昇降部の昇降動作に追従して伸長／収縮する蛇腹状の転倒防止手段を設けたことを特徴とする（請求項１）。
上記昇降手段としては、流体圧（水叉は空気）、油圧等で作動するジャッキが好適で、昇降のストローク（能力）に応じて多段伸長型を選択使用する。
【００１１】
上記手段によれば、昇降部の昇降動作中及び昇降動作の停止中、昇降部に作用する水平力に対して常に転倒防止手段が対抗するため、重量物の昇降動作を安全に行うことができる。
【００１２】
そして、上記昇降部は複数の昇降手段と、その複数の昇降手段の基部相互を連結する下枠体と、前記複数の昇降手段の伸縮する作動部相互を連結する上枠体で構成し、その下枠体と上枠体とを前記転倒防止手段で連結する（請求項２）。
上記昇降部を構成する下枠体と上枠体の形状は、平面角形（例えば、四角形、多角形等）、或いは円形、楕円形等、何れでもよい。
上記手段によれば、複数の昇降手段が同期して作動することで上枠体（荷台）は水平状体で昇降し、上枠体に載承した重量物を安全に昇降できる。そして、上枠体と下枠体とが転倒防止手段で連結されている為、昇降動作に追従して該転倒防止手段も伸長／収縮し、昇降動作中及び昇降動作の停止中に水平力が作用しても前記転倒防止手段が対抗し、昇降装置が転倒するのを確実に防止する。
【００１３】
上記転倒防止手段は、平板叉は矩形状の枠体をヒンジ連結によって蛇腹状に連結構成され、それらが前記昇降部を構成する下枠体と上枠体とに亘って架設される（請求項３）。
平板を蛇腹状に連結して構成する場合、平板には水平力（風）が通り抜ける窓孔を開設すると有効である。
叉、上記の蛇腹状の伸長／収縮する転倒防止手段は、昇降手段の伸縮動作に追従して上枠体（作用点側）に連結された側から展開伸長されるが、該転倒防止手段の展開伸長は構成する平板または枠体の全体が同時に均一に展開伸長するように構成してもよい。
更に、転倒防止手段は、パイプ叉は棒杆を簾状にヒンジ連結によって蛇腹状に構成してもよい（請求項４）。
そして、前記昇降部を構成する下枠体と上枠体を平面矩形状とし、下枠体と上枠体との間に昇降手段（ジャッキ）を平面矩形状に配置し、その昇降手段で区画される４周面に夫々前記転倒防止手段を配置してもよい（請求項５）。
【００１４】
上記手段によれば、平面略矩形状をした昇降部の４面にはそれぞれ転倒防止手段を配置しているため、昇降装置のいずれの面に水平力が作用しても、その水平力が作用する方向と同方向に、平板或いはパイプ、棒杆の長手方向叉は軸芯方向が向いた転倒防止手段が対抗して昇降装置が転倒するのを防止する。即ち、昇降装置における水平力が作用する面と直交する面に配置した転倒防止手段が水平力に対応し、昇降装置が転倒するのを防止し、鉛直起立状態に保持する。従って、安全に昇降作業を行うことが出来る。
【００１５】
更に、前記昇降手段を多段伸長ジャッキで構成することができる（請求項６）。この多段伸長ジャッキは、能力の異なる複数のジャッキが１本物状に順次収納されているもの（実施例で図示するもの）、或いは最下段を複数（例えば４台）のジャッキで構成し、その最下段のジャッキのロッド相互をフレームで連結し、そのフレームに次の段を構成する複数（例えば４台）のジャッキの基部を固定して鉛直に起立し、そのジャッキのロッド相互を最下段同様フレームで連結し、更に次の段を構成する複数のジャッキを前記フレームに鉛直に起立固定する階段状の形態等が挙げられる。その場合は、昇降ストロークを大きく設定することができる。それにより、重量物を載承して大きいストローク昇降できる昇降装置を構成できる。
【発明の効果】
【００１６】
本発明の重量物昇降装置は請求項１、２記載の構成により、重量物を載承して昇降動作する最中、或いは重量物を載承して所定高さに停止する時、該装置に水平力が作用しても転倒防止手段が常に対応する為、装置が水平力を受けて転倒するようなことは無く、安定して昇降動作を行うことができる。
【００１７】
叉、請求項３、４記載の構成により、水平力に対抗する転倒防止手段を簡単に構成することができる。しかも、転倒防止手段の展開伸長／折畳み収縮は、昇降部における上枠体の上下動作で行われる為、別途、伸縮動力源を必要とせず、安価に製作することができる。
更に、請求項５記載の構成により、昇降装置のいずれの面に水平力が作用しても、その水平力が作用する面と直交する面に配置した転倒防止手段が対応して昇降装置を鉛直起立状態に保持する。従って、安全に昇降作業を行うことが出来る。
また、請求項６記載の構成により、大きいストロークの昇降装置を構成できる。
【発明を実施するための最良の形態】
【００１８】
以下、本発明に係る重量物昇降装置の実施の一例を図面に基づいて説明する。
図１は重量物昇降装置の全体を示す外観図で、重量物昇降装置Ａは、４本の昇降手段１と、その４本の昇降手段１の基部側を連結する下枠体２と、４本の昇降手段１の伸縮する作動部相互を連結する上枠体３とからなる昇降部Ａ１と、その昇降部Ａ１の昇降動作中及び昇降動作停止時、該昇降部Ａ１に作用する水平力に抗して昇降部Ａ１の転倒を防止する転倒防止手段Ａ２とで構成されている。
【００１９】
昇降部Ａ１を構成する４本の昇降手段１は、油圧式の多段伸長ジャッキ（図示は３段伸長ジャッキ）で構成され、その昇降手段１は下枠体２と上枠体３との間に亘って平面略矩形状に配置取り付けられている。
【００２０】
上記昇降手段１の基部相互を連結する下枠体２は、金属製型材を用いて平面視矩形状に形成され、その矩形の長辺における角部近傍位置に前記昇降手段１の基部を嵌合し得る取付孔４が開設され、その取付孔４に昇降手段１を構成する多段伸長ジャッキが嵌合されて下枠体２と一体化されている。尚、下枠体２に対する昇降手段１の固定は、多段伸長ジャッキのシリンダ外周にフランジを突出形成し、そのフランジを前記取付孔４の周囲に起立固定した保持枠５にボルト・ナット６で締着固定されている。
【００２１】
昇降手段１の伸縮する作動部相互を連結する上枠体３は、複数の昇降手段の能力を合体すると共に重量物Ｗを載承する荷台を構成するもので、前記した下枠体２と同様、金属製型材を用いて平面視矩形状に形成され、その矩形の長辺に昇降手段１の伸縮するロッドの先端が連結固定されている。それにより、上枠体３は複数の昇降手段１が同期して作動することで水平状態を維持して上下昇降される。
【００２２】
そして、上記昇降部Ａ１を構成する平面視矩形状の下枠体２と、昇降手段１で上下昇降される上枠体３とに亘って、昇降部Ａ１の昇降動作中及び昇降動作停止時に該昇降部に作用する水平力に対抗する転倒防止手段Ａ２が設けられている。
その転倒防止手段Ａ２は昇降部Ａ１の上下昇降に追従して展開伸長／折畳み収縮する蛇腹状部材で構成されている。
その転倒防止手段Ａ２は、矩形状の金属製枠で、上下の長辺に沿ってヒンジ連結用の蝶番構造を備えた転倒防止部材７を複数枚、軸８を用いて蛇腹状（葛篭折り）に連結して構成されている。そして、この転倒防止手段Ａ２は、前記昇降部Ａ１の周囲４面（上・下二面を除いた周囲四面）に配置されている。即ち、昇降部Ａ１における前・後面及び左・右面に配置され、何れの方向の水平力に対しても対応できるようになっている。
【００２３】
上記転倒防止手段Ａ２を構成する矩形状の転倒防止部材７の大きさは、その構成から長辺の長さを昇降部Ａ１を構成する上・下枠体の辺の長さ内に収まる長さとするのが好ましく、短辺の長さは短い方が昇降部Ａ１の収縮時（例えば、図２の状態）における上・下枠体より水平方向外側への突出量を少なくできる。
叉、図示の場合は昇降部Ａ１の周囲４面に、転倒防止手段Ａ２をそれぞれ１個ずつ配置しているが、長辺の長さを短くしたものを各面に複数列（例えば、二列）配置するなど任意である。
更に、前記転倒防止手段Ａ２を構成する矩形状の転倒防止部材は、矩形状の金属平板に周囲を除いて窓孔を開設して形成したもの、或いは金属製棒材叉はパイプ材を連結して矩形枠体に構成したもの等、何れでもよい。
【００２４】
上記構成とした重量物昇降装置は、上枠体３の上に重量物を載置して昇降部Ａ１の昇降手段１を同期して作動させることで、上枠体３は水平状態を維持して上昇し、重量物を所定高さへ持ち上げることができる、そして、前記上枠体３の上昇動作に追従して蛇腹状に折畳まれていた転倒防止手段Ａ２が展開伸長し、水平力の向きと同じ方向に端面が対向配置された転倒防止手段Ａ２が対抗して昇降装置が転倒するのを防止する。
転倒防止手段Ａ２の蛇腹状に連結された転倒防止部材は、昇降部Ａ１の昇降動作に伴って該昇降部Ａ１の上枠体３に連結された最上位の転倒防止部材から順次鉛直方向に引き上げられ、蛇腹状に折畳まれていた転倒防止部材は上位側から直線状に展開する。そして、直線状に展開した転倒防止手段Ａ２はその面が水平力に対して略直角に対向した場合でも、図示するように転倒防止部材７が枠体で構成され、該部材に開口が存在することで、水平力（風）は通り抜け、水平力の影響を軽減できる。叉、転倒防止部材の面が水平力の方向と同方向に向いた場合は、水平力に対して十分に対抗でき、昇降部Ａ１が転倒するのを防止できる。
【００２５】
上記転倒防止手段Ａ２の取付形態は、図示した形態に限定されるものではなく、ある特定の方向の水平力に対して対応できるように設置するようにしてもよい。
叉、転倒防止手段Ａ２は昇降部の各面内に配置する形態に限定されず、内部に配置してもよい。
【００２６】
図５及び図６は転倒防止手段Ａ２の他の例を示す図で、所定長さを有した金属製のパイプ叉は棒杆９の両側部に連結板１０を熔接し、そうしたパイプ叉は棒杆９を平行に並べ、それらパイプ叉は棒杆９の連結板１０相互をピン１１でヒンジ連結して簾状に構成されている。そして、簾状をなした転倒防止手段Ａ２は前示実施例と同様、下枠体２と上枠体３に連結される。
上記構成により、各パイプまたは棒杆９は、昇降部Ａ１の昇降動作に伴って連結板１０相互がピン１１部分で回動屈曲して一直線状（平面形状）に展開伸長叉は折畳まれる。
尚、上記パイプまたは棒杆９を簾状に連結する連結板１０は、各パイプまたは棒杆の両側にそれぞれ１枚ずつ熔接し、平行に並べたパイプまたは棒杆の隣同士の連結板をピンで連結してもよいが、水平力の作用により該連結板１０が軸方向に曲げられることも考えられる。これを防止する為に図示するように、パイプまたは棒杆９に二枚の連結板１０を熔接したもの用意し、これを一本おきに配列して一枚の連結板１０を二枚の連結板１０で挟持するようにすると有効である。
【図面の簡単な説明】
【００２７】
【図１】本発明に係る重量物昇降装置の実施の一例を示し、昇降手段が伸長した状態の正面図。
【図２】昇降手段が収縮した状態の正面図。
【図３】同拡大平面図。
【図４】同装置における転倒防止手段の配置形態を示す斜視図。
【図５】転倒防止手段の他の例を示し、昇降手段が伸長した状態の正面図。
【図６】昇降手段が収縮した状態の同正面図。
【符号の説明】
【００２８】
Ａ…重量物昇降装置              Ａ１…昇降部
Ａ２…転倒防止手段                  １…昇降手段
２…下枠体                        ３…上枠体
７…転倒防止部材                  ８…軸
９…パイプまたは棒杆            １０…連結板
１１…ピン
【図１】
2006096504.tif 000003
【図２】
2006096504.tif 000004
【図３】
2006096504.tif 000005
【図４】
2006096504.tif 000006
【図５】
2006096504.tif 000007
【図６】
2006096504.tif 000008
【手続補正書】
【提出日】平成17年12月14日(2005.12.14)
【手続補正１】
【補正対象書類名】特許請求の範囲
【補正対象項目名】請求項１
【補正方法】変更
【補正の内容】
【請求項１】
重量物を接地状態の昇降手段で上下昇降する重量物昇降装置であって、一端が接地され他端側が鉛直方向に伸縮して重量物を上げ下げする昇降部と、その昇降部の昇降動作に追従して伸長／収縮する蛇腹状の転倒防止手段を設け、該昇降部に作用する水平力に抗して昇降部の転倒を防止することを特徴とする重量物昇降装置。